(57)【要約】      （修正有）【課題】電子機器を充電台に載置したときに充電端子と受電端子が押し合う方向に電子機器を加圧し、受電端子と充電端子に充分な接触圧を加えることで充電不良を解決する充電台の構造を提供する。【解決手段】充電台２に電子機器１が載置されると、レバー３の下端部と対向面によって収縮したバネ４が伸長する反力により、レバー３の下端部は下方向に加圧される。レバー３の下端部に伝えられた力は、レバー３の柱部を介して加圧部３ａに伝わり、加圧部３ａは電子機器１を垂直下方向に加圧する。電子機器１が充電台２の台部５の側に加圧される事により、電子機器１の受電端子は自重と加圧された力によって充電端子６と押し付けあう。充電端子６はたわんで所定の位置まで下がることにより生じた反力から、電子機器１の受電端子と充電端子６間に充分な接触圧を加える。【選択図】図３
0003176009.tif 000002
【実用新案登録請求の範囲】
【請求項１】
電子機器を載置して前記電子機器を充電する充電台の構造であって、
前記電子機器の受電端子と加圧接触し前記電子機器を充電するバネ型充電端子と、前記充電端子が配置される台部と、前記台部に電子機器を載置した状態において前記載置した電子機器の天面部を前記充電端子側へ加圧する電子機器加圧部と、前記電子機器を載置する際に前記電子機器加圧部を上方にスライドまたは載置した後に加圧する側の下方へスライドするスライド構造と、を備え、
前記スライド構造は、前記台部に電子機器を載置した状態において、前記電子機器加圧部の重量による重力により、または前記電子機器加圧部と接続された所定の加圧バネ部の伸縮に伴う反力により、前記電子機器加圧部を前記充電端子側へ加圧し、前記バネ型充電端子による加圧接触で前記電子機器の浮きを防止することを特徴とする加圧式接触構造。
【考案の詳細な説明】
【技術分野】
【０００１】
本考案は、電子機器を充電する充電台の構造に関する。
【背景技術】
【０００２】
従来、電子機器を載置して充電する際、電子機器の受電端子と充電台が有するバネ形状の充電端子を接触させて、電子機器の自重により充電台の充電端子を押下することで生じる反力で接触圧を確保して充電する技術がある。（例えば特許文献１参照）
【０００３】
しかしながら、この技術は受電端子と充電端子を押し付け合う構造が無い為、電子機器を充電台に載置するときに、電子機器の自重が充電端子の反力に負けて電子機器が持ち上げられ、電子機器が充電端子の上に乗り上がることがある。電子機器の載置位置が所定の位置よりも上方向になると、充電端子のたわみ量が少なくなって充電端子の反力が弱くなることから、受電端子と充電端子に十分な接触圧が加わらず、充電不良に至るという問題があった。
【先行技術文献】
【特許文献】
【０００４】
【特許文献１】特開２００６−１１５６０１号公報
【考案の概要】
【考案が解決しようとする課題】
【０００５】
そこで、本考案は上記の問題を解決するために、電子機器を充電台に載置したときに充電端子と受電端子が押し合う方向に電子機器を加圧し、受電端子と充電端子に充分な接触圧を加えることで充電不良を解決する充電台の構造を提供することにある。
【課題を解決するための手段】
【０００６】
上記課題を解決するために、本考案は、電子機器を載置して前記電子機器を充電する充電台の構造であって、前記電子機器の受電端子と加圧接触し前記電子機器を充電するバネ型充電端子と、前記充電端子が配置される台部と、前記台部に電子機器を載置した状態において前記載置した電子機器の天面部を前記充電端子側へ加圧する電子機器加圧部と、前記電子機器を載置する際に前記電子機器加圧部を上方にスライドまたは載置した後に加圧する側の下方へスライドするスライド構造と、を備え、前記スライド構造は、前記台部に電子機器を載置した状態において、前記電子機器加圧部の重量による重力により、または前記電子機器加圧部と接続された所定の加圧バネ部の伸縮に伴う反力により、前記電子機器加圧部を前記充電端子側へ加圧し、前記バネ型充電端子による加圧接触で前記電子機器の浮きを防止することを特徴とする。
【考案の効果】
【０００７】
本考案によれば、電子機器を充電台に載置したときに、充電台の加圧構造が電子機器を加圧して充電台に押さえ付け、電子機器の浮きを防止する為、充分な接触圧を加え充電不良の発生を防ぐ充電台を提供することが出来る。
【図面の簡単な説明】
【０００８】
【図１】電子機器を取り外した場合の本考案における充電台の破断図
【図２】電子機器を載置する場合の本考案における充電台の破断図
【図３】電子機器を載置した場合の本考案における充電台の破断図
【考案を実施するための形態】
【０００９】
以下、本考案における充電台に電子機器を載置する場合の実施例を説明する。
電子機器を取り外した場合の本考案における充電台の破断図を図１に示す。充電台２は、充電台２の底面に対して垂直方向に上下スライドするレバー３と、電子機器１を載置する充電台２の台部５と、バネ形状を有し電子機器１の受電端子と加圧接触する充電端子６と、台部５の内部側の対向面７と、レバー３と対向面７とをつなぐバネ４と、で構成されている。
【００１０】
さらにレバー３は、加圧部３ａと、下端部３ｂと、加圧部３ａと下端部３ｂをつなぐ柱部３ｃにより構成されている。加圧部３ａを充電台２の底面に対して垂直上方向に押し上げると、柱部３ｃと下端部３ｂも同様に上方向に移動する。また、電子機器１は底面に受電端子を有する（図示せず）。
【００１１】
次に、電子機器を載置する場合の本考案における充電台の破断図を図２に示す。電子機器１を充電台２に載置する場合は、電子機器１を斜めに傾けて電子機器１の天面部と加圧部３ａとを接触させる。電子機器１で加圧部３ａを充電台２の底面に対して垂直上方向に押し上げながら、電子機器１の底面部を台部５に沿って充電端子６側に摺動させて電子機器１を充電台２へ載置する。レバー３全体が充電台２の底面に対して垂直上方向に押し上げられることにより、レバー３の下端部３ｂと対向面７を接続するバネ４が収縮する。
【００１２】
次に、電子機器を載置した場合の本考案における充電台の破断図を図３に示す。充電台２に電子機器１が載置されると、レバー３の下端部３ｂと対向面７によって収縮したバネ４が伸長された状態に戻ろうとする反力により、レバー３の下端部３ｂは充電台２の底面に対して垂直下方向に加圧される。レバー３の下端部３ｂに伝えられた力は、レバー３の柱部３ｃを介して加圧部３ａに伝わり、加圧部３ａは電子機器１の天面部を充電台２の底面に対して垂直下方向に加圧する。すなわち、電子機器１が充電台２の台部５の側に加圧される事により、電子機器１が有する受電端子は自重と加圧された力によって充電端子６と押し付けあう。充電端子６はたわんで所定の位置まで下がることにより生じた反力から、電子機器１の受電端子と充電端子６間に充分な接触圧を加える事が可能である。
【００１３】
なお、本考案は上記の実施形態に限定されるものではなく、加圧部３ａが電子機器１を加圧して、電子機器１を充電台２に押し付ける構造であれば良い。そのため、その要旨の範囲内で様々な変形が可能である。
【００１４】
例えば、加圧部３ａの重量による重力によって、電子機器1を充電端子６側に加圧するような構造にしても良い。また、本実施例はバネ４を対向面７とレバー３の下端部３ｂで挟み込むように構成しているが、それに限定されず、バネ４の伸縮する反力が加圧部３ａに伝わればどのように配置しても良い。さらに、電子機器１の側面や背面といった箇所に凹形状を形成し、加圧部３ａを電子機器１に形成した凹形状に差し込むようにして、電子機器１を台部５の側に加圧するような構造にしても良い。
【符号の説明】
【００１５】
１  ・・・電子機器
２  ・・・充電台
３  ・・・レバー
３ａ・・・加圧部
３ｂ・・・レバー３の下端部
３ｃ・・・レバー３の柱部
４  ・・・バネ
５  ・・・充電台の台部
６  ・・・充電端子
７  ・・・レバー３の下端部３ｂとの対向面
【図１】
0003176009.tif 000003
【図２】
0003176009.tif 000004
【図３】
0003176009.tif 000005